(57)【要約】      （修正有）【課題】洗髪用を始として、身体用品としても使用できる。所謂、万能形で、体の全ての部位を、強弱の好みに適合して洗浄できること、又はこれらの部位のマッサージ効果を発揮できる介護用の手袋を提供する。【解決手段】肘までの長さを有する前腕袋部と、手袋本体とでなる手袋で、この手袋の手袋本体の手首部までの部分における掌面側に、少なくとも、二段の高さの異なる軟質突起を設けるとともに、手袋本体の各指先に、軟質爪突起をそれぞれ形成する構造とした介護用の手袋である。介護洗髪等の作業の容易化と迅速化を図る。【選択図】図１
0003171877.tif 000002
【実用新案登録請求の範囲】
【請求項１】
肘までの長さを有する前腕袋部と、手袋本体とでなる手袋であって、
この手袋本体の手首部までの部分における掌面側に、少なくとも、二段の高さの異なる軟質突起を設けるとともに、この手袋本体の各指先に、軟質爪突起をそれぞれ形成する構造とした介護用の手袋。
【請求項２】
請求項１に記載の手袋であって、
前記軟質突起は、各指の掌面側に設けた細径の第一軟質突起を、また、手袋本体の指側半分の掌面側に設けた山形の第二軟質突起を、さらに、この手袋本体の手首側半分の掌面側に設けた、前記第一軟質突起と略同じ、細径の第三軟質突起を、それぞれ多数個設ける構成とした介護用の手袋。
【請求項３】
請求項１に記載の手袋であって、
前記軟質突起の硬度分布は、前記手袋本体の各指先に設けた軟質爪突起の硬さに対して、前記第一軟質突起〜第三軟質突起の硬さが、柔らかい構成とした介護用の手袋。
【請求項４】
請求項１に記載の手袋であって、
前記手袋の手首部、又は前腕袋部に、一条、又は数条の環状突条を設ける構成とした介護用の手袋。
【考案の詳細な説明】
【技術分野】
【０００１】
本考案は、介護用の手袋であり、さらに詳しくは、この手袋を着用することで、頭髪用のマッサージ兼洗髪用品（頭髪用品）、身体用のマッサージ兼洗浄用品（身体用品）、等の用品を使用しなくても、この手袋のみで、頭髪から身体の全てを、マッサージ兼洗える特徴がある。
【背景技術】
【０００２】
従来、頭髪用品、身体用品、等の用品が、通常は、それぞれ個別となっている。従って、介護において、例えば、洗髪する時には、頭髪用品、他の用品を、個別、又は併用して使用する。また、身体を洗う時には、身体用品、他の用品を使用する。このように、洗う箇所によって、それぞれの用品を使用し、かつ手にもって作業することになるので、大変であり、苦労する。又は、その都度、取替え、かつ複数の用品を用意することとなり、これまた、大変であり、苦労する。
【０００３】
従って、手袋に、前記用品の機能を持たせることが、複数の用品の準備、管理等がなくなり有益であること、殊に、この用品をいちいち手に取り、持ちながら作業することなく、重宝することと、迅速な作業が行えること、等の有益性がある。
【０００４】
そこで、手袋に用品機能を付与した先行文献を説明する。先ず、指先に爪の機能を付与した洗髪用手袋として、実開昭５７−８３１１０号公報がある（文献１）。この考案は、洗髪用に限定されている。また、手袋の掌面側に、凹凸の繊維群を設けた身体洗浄用の手袋として、実開昭６３−１７５４９４号公報がある（文献２）。この考案は、身体用に限定されていることと、繊維群であり、洗浄の効率化と、マッサージ効果を図るには、力不足と思われる。さらに、前記（文献１）と（文献２）とを併用した手袋として、特開２００４−８１６４４号公報がある（文献３）。この発明は、指の掌面側にマッサージ用の突部を有するが、単純な一種類の突部であり、その数も少ないことから、身体用品としての機能は、有効性が期待できないと考えられる。
【０００５】
【特許文献１】実開昭５７−８３１１０号公報
【特許文献２】実開昭６３−１７５４９４号公報
【特許文献３】特開２００４−８１６４４号公報
【考案の概要】
【考案が解決しようとする課題】
【０００６】
上記に鑑み、本考案は、洗髪用を始として、身体用品としても使用できる。所謂、万能形で、体の全ての部位を、強弱の好みに適合して洗浄できること、又はこれらの部位のマッサージ効果を発揮できる介護用の手袋を提供すること、等を意図する。具体的には、手袋の掌面側に、段階をおいて、第一〜第三軟質突起を設けるとともに、指先に、第四軟質突起を設けた構造である。そして、この第一〜第三軟質突起を軟硬とするとともに、第四軟質を最も硬い軟質突起とすることで、身体の全てに対応可能とする構造である。さらに、手袋の掌面側に、段階をおいて、第一〜第三軟質突起を設ける構造である。
【課題を解決するための手段】
【０００７】
前記の「洗髪用を始として、身体用品としても使用できる。所謂、万能形で、体の全ての部位を、強弱の好みに適合して洗浄できること、又はこれらの部位のマッサージ効果を発揮できる介護用の手袋を提供すること、等を意図する。」
請求項１は、肘までの長さを有する前腕袋部と、手袋本体とでなる手袋であって、
この手袋本体の手首部までの部分における掌面側に、少なくとも、二段の高さの異なる軟質突起を設けるとともに、この手袋本体の各指先に、軟質爪突起をそれぞれ形成する構造とした介護用の手袋である。
【０００８】
また、前記の請求項１を達成するために、「手袋の掌面側に、段階をおいて、第一〜第三軟質突起を設けるとともに、指先に、第四軟質突起を設けた構造である。」
請求項２は、請求項１に記載の手袋であって、
前記軟質突起は、各指の掌面側に設けた細径の第一軟質突起を、また、手袋本体の指側半分の掌面側に設けた山形の第二軟質突起を、さらに、この手袋本体の手首側半分の掌面側に設けた、前記第一軟質突起と略同じ、細径の第三軟質突起を、それぞれ多数個設ける構成とした介護用の手袋である。
【０００９】
また、前記の請求項１を達成するために、「第一〜第三軟質突起を軟硬とするとともに、第四軟質を最も硬い軟質突起とすることで、身体の全てに対応可能とする構造である。」
請求項３は、請求項１に記載の手袋であって、
前記軟質突起の硬度分布は、前記手袋本体の各指先に設けた軟質爪突起の硬さに対して、前記第一軟質突起〜第三軟質突起の硬さが、柔らかい構成とした介護用の手袋である。
【００１０】
また、前記の請求項１を達成するために、「手袋の使い勝手、即ち、手袋本体のみか、又は長短の前腕袋部を選択し、使い勝手の要望を達成可能とする構造である。」
請求項４は、請求項１に記載の手袋であって、
前記手袋の手首部、又は前腕袋部に、一条、又は数条の環状突条を設ける構成とした介護用の手袋である。
【考案の効果】
【００１１】
請求項１の考案では、肘までの長さを有する前腕袋部と、手袋本体とでなる手袋であって、
手袋本体の手首部までの部分における掌面側に、少なくとも、二段の高さの異なる軟質突起を設けるとともに、手袋本体の各指先に、軟質爪突起をそれぞれ形成する構造とした介護用の手袋である。
【００１２】
これにより、「洗髪用を始として、身体用品としても使用できる。所謂、万能形で、体の全ての部位を、強弱の好みに適合して洗浄できること、又はこれらの部位のマッサージ効果を発揮できる介護用の手袋を提供できること、等が特徴である。」
請求項２の考案では、請求項１に記載の手袋であって、
軟質突起は、各指の掌面側に設けた細径の第一軟質突起を、また、手袋本体の指側半分の掌面側に設けた山形の第二軟質突起を、さらに、手袋本体の手首側半分の掌面側に設けた、第一軟質突起と略同じ、細径の第三軟質突起を、それぞれ多数個設ける構成とした介護用の手袋である。
【００１３】
これにより、請求項１を達成するために、「手袋の掌面側に、段階をおいて、第一〜第三軟質突起を設けるとともに、指先に、第四軟質突起を設けた構造が特徴である。」
請求項３の考案では、請求項１に記載の手袋であって、
軟質突起の硬度分布は、手袋本体の各指先に設けた軟質爪突起の硬さに対して、第一軟質突起〜第三軟質突起の硬さが、柔らかい構成とした介護用の手袋である。
【００１４】
これにより、請求項１を達成するために、「第一〜第三軟質突起を軟硬とするとともに、第四軟質を最も硬い軟質突起とすることで、身体の全てに対応可能とする構造が特徴である。」
請求項４の考案では、請求項１に記載の手袋であって、
手袋の手首部、又は前腕袋部に、一条、又は数条の環状突条を設ける構成とした介護用の手袋である。
【００１５】
これにより、前記の請求項１を達成するために、「手袋の使い勝手、即ち、手袋本体のみか、又は長短の前腕袋部を選択し、使い勝手の要望を達成可能とする構造である。」
【図面の簡単な説明】
【００１６】
【図１】左右の手袋を掌面側よりみた正面図
【図２】左右の手袋を掌面側よりみた斜視図
【図３】図１に示した左の手袋を掌面側よりみた状態で、Ａ−Ａ‘断面図
【図４】図２に示した右の手袋を掌面側よりみた拡大斜視図
【図５】他の左右の手袋を掌面側よりみた正面図
【図６−１】左右の手袋を手首部より切断して使用する掌面側よりみた正面図
【図６−２】左右の手袋を前腕袋部の二条目より切断して使用する掌面側よりみた正面図
【図６−３】左右の手袋を前腕袋部の四条目より切断して使用する掌面側よりみた正面図
【図７】手袋を洗髪用として使用する状態の模式図
【図８】手袋を洗浄用として使用する状態の模式図
【考案を実施するための形態】
【００１７】
以下、本考案の好ましい一例を説明する。
【００１８】
図１、図２に示した如く、手袋１は、ゴム、プラスチック等でなり、耐熱性、耐薬品性等の機能を備えた介護用である。この手袋１は、前腕袋部１００と、手首部１０１を経由して手袋本体１０２に到る。そして、この手袋本体１０２は、手袋掌面１０２ａ及び手袋甲面１０２ｂとでなる手袋主体１０３と、この手袋主体１０３に設けた五本の指１０４とで構成する。そして、前記前腕袋部１００は、人Ｈの手の肘まで、確実に包被することで、例えば、手袋１は、離脱することなく、また、手を汚すことなく、例えば、介護作業ができる。
【００１９】
そして、例えば、図４の如く、指１０４の掌面側Ａには、高い針状（細径）の第一軟質突起２が突出されている。その本数は、指１０４の掌面側Ａ全体で、根元１０４ａから指先１０４ｂに設けられており、全体の高さは均等である。但し、親指１０４−１では、根元１０４ａから真中１０４ｃに設けられている。この構造は、掌面側Ａを曲面状に萎ませた際に、身体Ｈの箇所Ｈ１（例えば、肩部）を柔らかく包み込み、かつこの箇所Ｈ１を、最適に洗浄できる。
【００２０】
また、図４の如く、手袋主体１０３の掌面側Ａは、指先部位１０３ａと手首側部位１０３ｂに二分割されており、この指先部位１０３ａには、低い山形（頭截円錐形状）の第二軟質突起３が、多数本突出されている。その本数は、指１０４の掌面側Ａ全体である。また、この手首側部位１０３ｂには、低い針状（細径）の第三軟質突起５が、多数本突出されている。その本数は、指１０４の掌面側Ａ全体である。この第一〜第三軟質突起２、３、５は、軟質部材で、手袋１と同じ材料とする。
【００２１】
この第一〜第三軟質突起２、３、５は、例えば、図２〜図４の如く、目的に対応した高さ（掌面側Ａからの高さ）を形成する。例えば、第一軟質突起２は、他の第二・第三軟質突起３、５に対して、高く構成されている。その理由は、各指１０４に力を加えて作業することが多いためであり、例えば、洗髪時の必要性（毛の中に進入させるため）と、洗髪、又は洗浄、或いはマッサージ効果達成とかが考えられる。尚、介護用とは異なるが、髪の修復・治療所作（作業）、毛染め所作、施術作業等においても同様に考えられる。従って、介護用との言葉あるが、前記例の如く、他の分野での使用にも役立つところである。次に、第二軟質突起３と、第三軟質突起５とは、原則として、同じ高さとするが、前記第一軟質突起２より低くなっている。その理由は、手袋本体１０２（指先部位１０３ａと手首側部位１０３ｂ）を、身体人（Ｈ）の各箇所Ｈ１に添設し、たわし、擬似指等の感覚を持って作業するためであり、例えば、身体への優しさの必要性と、頭皮、又は各部位の皮膚に優しく接触しながら洗浄、或いはケア効果達成とかが考えられる。前述と同様に、介護用とは異なるが、髪の修復・治療所作、毛染め所作、施術作業等においても同様に考えられる。尚、第二軟質突起３と、第三軟質突起５とは、原則として、同じ高さで説明したが、第二軟質突起３＞第三軟質突起５か、又は逆の第二軟質突起３＜第三軟質突起５とする構造もあり得る。例えば、指先部位１０３ａ（又は手首側部位１０３ｂ）に力を加えて作業する必要性と、或いは前記第一軟質突起２より、やや優しい作業が必要時等に有効と考えられるからである。何れも一例である。
【００２２】
尚、前記親指１０４−１では、例えば、図４の如く、この第二軟質突起３が、指先１０４ｂから真中１０４ｃに設けられるとともに、第三軟質突起５が、真中１０４ｃから根元１０４ａに設けられる。この配置構造は、手袋主体１０３に設けた第二軟質突起３と、第三軟質突起５に倣った構造であり、手袋１をフラットで使用する際の状況を考慮したものであり、この手袋１のあらゆる使用状況を考慮した考案であり、かつ本考案の特徴を現している。
【００２３】
また、指１０４の指先１０４ｂには、軟質爪突起６が設けられているが、人Ｈの爪に対応するように、第一〜第三軟質突起２、３、５に対して、硬くなっており、髪とか、皮膚の剥離等の際に、前記人Ｈの爪と同じ働きをなす構造とする。従って、図２〜図４の如く、尖った三角錐形状となっている。この硬質は、第一〜第三軟質突起２、３、５における軟質より、やや硬い程度でおり、皮膚に損傷を与えない硬さである。
【００２４】
図示の如く、手袋１の手袋甲面１０２ｂは、人Ｈの甲に馴染む構造であり、フラットである。
【００２５】
そして、この手袋１の使用の一例を、図７、図８を基に説明する。図７の如く、洗髪台Ｂにおける、洗髪の作業においては、第一〜第三軟質突起２、３、５と、軟質爪突起６の全てを有効に使用する。例えば、図７に示した、強めの作業をする場合には、例えば、頭皮、及び／又は、頭髪を、軟質爪突起６を利用して（人Ｈの例の如く、爪を立てる感覚）で、頭髪の洗浄、及び／又は、汚れ除去とか、頭皮のケア、マッサージをするが、その際に、第一軟質突起２の高さを利用して、同じ、作業（所作）をすることもあり得る。前記の最初の洗髪作業が終了した場合であって、弱めの作業をする場合には、例えば、頭皮、及び／又は、頭髪を、第二・第三軟質突起３、５を利用して、優しく、頭髪の洗浄、及び／又は、汚れ除去を図るが、必要により、第一軟質突起２による強めの洗髪等を行いこともあり得る。即ち、第一〜第三軟質突起２、３、５を、個別か、又は総合的に利用して、弱め作業、及び／又は、強めの作業による洗浄等を行うことを意図する。そして、この洗髪では、軟質爪突起６と、第一〜第三軟質突起２、３、５とを総合的に使用することで、従来のように、他の洗浄用品を使用せず、直接洗浄できる。また、図８の如く、浴槽Ｃにおける、腕の洗浄の作業では、例えば、第一〜第三軟質突起２、３、５を、強弱の作業に基づき、個別に使用する場合と、これらを総合的に使用する場合があり、前述の図７の例に準ずる。また、この例においても、従来のように、他の洗浄用品を使用せず、直接洗浄できる。尚、この例でも、必要により、さらに強めの作業をする場合には、例えば、皮膚、及び／又は、人Ｈの箇所Ｈ１の洗浄等を、軟質爪突起６を利用して、行うことも、場合によりあり得る。
【００２６】
以上の如く、使用状態の一例を示した、図７、図８の例では、洗う箇所によって、それぞれの用品を使用し、かつ手にもって作業することになるので、作業の迅速化、効率化、又は容易化等に有効である。また、介護作業の普及と、人材の確保、並びに家庭内介護の普及等に役立つことが考えられる。さらに、洗う箇所によって、複数の用品を用意することがなくなり、利便性と、用品管理の容易化、低コスト化が図れる有効性等とか考えられる。
【００２７】
尚、図５と、図６−１〜図６−３に示した、他の実施例では、他の左右の手袋１０において、手首部１０１に一条（限定されない。数条あり）の環状突条１１（間欠式の環状も同じ）を囲繞するとともに、前腕袋部１００に数条（限定されない。一条あり）の環状突条１２を囲繞することを特徴とする。この環状突条１１、１２をガイドとしてカットすることで、図６−１の如く、手袋１０を手首部１０１より切断して使用する例（手袋本体１０２としての使用）と、図６−２の如く、手袋１０を前腕袋部１００の内側の二条目より切断して使用する例（腕の短めの人Ｈ）と、図６−３の如く、手袋１０を前腕袋部１００の内側の四条目より切断して使用する例（腕の長めの人Ｈ）の各例を説明した。以上のように、個別に切断することで、前述の例の如く、使用用途と、人Ｈの体格、大小、又は腕の長短、或いは作業の特性・慣習と等に対応可能となる。従って、介護用として最適であり、また、介護の簡易化と利便性等に役立つことが考えられる。
【符号の説明】
【００２８】
１              手袋
１０            手袋
１００          前腕袋部
１０１          手首部
１０２          手袋本体
１０２ａ        手袋掌面
１０２ｂ        手袋甲面
１０３          手袋主体
１０３ａ        指先部位
１０３ｂ        手首側部位
１０４          指
１０４−１      親指
１０４ａ        根元
１０４ｂ        指先
１０４ｃ        真中
１１            環状突条
１２            環状突条
２              第一軟質突起
３              第二軟質突起
５              第三軟質突起
６              軟質爪突起
Ａ              掌面側
Ｂ              洗髪台
Ｃ              浴槽
Ｈ              人
Ｈ１            箇所
【図１】
0003171877.tif 000003
【図２】
0003171877.tif 000004
【図３】
0003171877.tif 000005
【図４】
0003171877.tif 000006
【図５】
0003171877.tif 000007
【図６−１】
0003171877.tif 000008
【図６−２】
0003171877.tif 000009
【図６−３】
0003171877.tif 000010
【図７】
0003171877.tif 000011
【図８】
0003171877.tif 000012